(57)【要約】【課題】消費者に情報を提供すると共に、消費者からの情報も収集可能にした容器用吊り下げ具を提供する。【解決手段】縦方向の折り曲げ線ａと横方向の折り曲げ線ｂを介して縦横二方向に複数のシート面を連設し、シート面を開封自在に折り畳んでなるシート本体１０と、折り畳んだ際に最下面に位置するシート面１１に連設され容器２０の首部３０に掛止可能な掛止片２と、折り畳んだ際に最上面に位置するシート面１２に折り曲げ線を介して連設されるシート本体１０の折り畳み状態の維持、解除を行う係止片６とから成り、係止片６が、折り畳んだ際に最上面１２に位置するシートの左右両端に適宜の大きさの凸起６を折り曲げ自在に設けた係止片６であり、双方の凸起６の内側に折り曲げ方向と平行に適宜の大きさの切り込みｄを設け、切り込みｄを掛止片２の左右両端下端に設けた掛止切り込みｅに係止させる。【選択図】図３
2006276888.tif 000002
【特許請求の範囲】
【請求項１】
縦方向の折り曲げ線と、横方向の折り曲げ線を介して縦横二方向に複数のシート面を連設し該連続する複数のシート面を開封自在に折り畳んでなるシート本体と、折り畳んだ際に最下面に位置するシート面に連設され容器の首部に掛止可能な掛止片と、折り畳んだ際に最上面に位置するシート面に折り曲げ線を介して連設されるシート本体の折り畳み状態の維持、解除を行う係止片と、から成る容器用吊り下げ具であって、前記係止片が、折り畳んだ際に最上面に位置するシートの左右両端に適宜の大きさの凸起を折り曲げ自在に設けた係止片であり、該双方の凸起の内側に前記折り曲げ方向と平行に適宜の大きさの切り込みを設け、該切り込みを前記掛止片の左右両端下端に設けた掛止切り込みに係止させることを特徴とする容器用吊り下げ具。
【請求項２】
該双方の凸起の間に、外方に延びる表示片を設けたことを特徴とする請求項１記載の容器用吊り下げ具。
【発明の詳細な説明】
【技術分野】
【０００１】
本発明は、宣伝、広告用に使用される容器用吊り下げ具に関するものであり、特に開封自在に折り畳まれているシート本体を容器の首部に係止させて使用する吊り下げ具に関する。
【背景技術】
【０００２】
従来の容器用吊り下げ具は、新製品の販売促進のためＰＯＰ（Ｐｏｉｎｔ  ｏｆ  Ｐｕｒｃｈａｓｅ＝購買時広告）的に新製品の容器、例えば、ウィスキーボトルの首部に吊り下げて使用され、店頭におけるアイキャッチ効果を高め、また、消費者に対する情報提供の役割を果している。
【発明の開示】
【発明が解決しようとする課題】
【０００３】
しかしながら、従来の容器用吊り下げ具は、消費者に情報を一方的に提供するのみで、消費者の新商品に関する購入の動機、セールスキャンペーンの一環として行われるイベントや懸賞への参加希望など、消費者側からの情報の伝達手段は配慮されていないという問題があった。
【０００４】
本発明は、容器用吊り下げ具に関する以上のような問題点に着目してなされたもので、その課題とするところは、消費者に情報を提供すると共に、消費者からの情報も収集可能とした容器用吊り下げ具を提供することにある。
【課題を解決するための手段】
【０００５】
本発明の第１の発明は、縦方向の折り曲げ線と、横方向の折り曲げ線を介して縦横二方向に複数のシート面を連設し該連続する複数のシート面を開封自在に折り畳んでなるシート本体と、折り畳んだ際に最下面に位置するシート面に連設され容器の首部に掛止可能な掛止片と、折り畳んだ際に最上面に位置するシート面に折り曲げ線を介して連設されるシート本体の折り畳み状態の維持、解除を行う係止片と、から成る容器用吊り下げ具であって、前記係止片が、折り畳んだ際に最上面に位置するシートの左右両端に適宜の大きさの凸起を折り曲げ自在に設けた係止片であり、該双方の凸起の内側に前記折り曲げ方向と平行に適宜の大きさの切り込みを設け、該切り込みを前記掛止片の左右両端下端に設けた掛止切り込みに係止させることを特徴とする容器用吊り下げ具である。
【０００６】
このようにシート本体が、連続する複数のシートを開封自在に折り畳んで構成されているので、この複数のシートに、例えば、アンケート事項を印刷して切り取り可能な葉書形式にしておくと、消費者の購買動機など消費者からの情報が収集可能となる。
【０００７】
さらに、係止片が折り畳んだ際に最上面に位置するシートに連設されているので、折り畳んだシートがより平面的に見え、容器の首部に掛けた際の見栄えが良くなる。
【０００８】
また、第２の発明は、第１の発明において、該双方の凸起の間に、外方に延びる表示片を設けたことを特徴とする容器用吊り下げ具である。
【０００９】
このように凸起と凸起の間には、適宜の大きさの表示片が設けられているので、折り畳んだ際に最上面に位置するシートの上方に連続して表示片が形成されることになり、最上面に位置するシートに、より大きなデザイン面積を供することができる。
【００１０】
さらに、このように、折り畳んだ際に最上面に位置するシートに連設して適宜の大きさの表示片が設けられているので、係止片と表示片とは別々のシート面に形成されていることになり、係止片を気にすることなく自由に表示片の形状を選択することができる。
【００１１】
なお、本発明においては、折り畳んだ容器用吊り下げ具の表裏を逆にして使用したり、また、掛止片と係止片の取り付け位置を取り替えて（逆にして）使用することも可能である。これらのことを行うに際しては、形状、印刷表示層のデザインを最適なものに変更することはいうまでもない。
【発明の効果】
【００１２】
上記のように本発明の容器用吊り下げ具は、係止片を折り畳んだ際に最上面に位置するシート面に設け、折り畳んだシート本体がよりフラットになり、全体がすっきりするので、容器の首部に掛けた際の見栄えが良くなる。
【００１３】
また、係止片と表示片が別々のシート面に設けられているので、係止片を気にすることなく自由に表示片の形状を選択することができ、最上面に位置するシート面の図柄とも併せて表示片の形状を選定するで、非常に興味をそそる容器用吊り下げ具が得られる。
【発明を実施するための最良の形態】
【００１４】
以下実施例により本発明を詳細に説明する。
【００１５】
図１は、本発明の容器用吊り下げ具に係る一参考例を示す展開説明図で、図２は、図１の容器用吊り下げ具を折り畳んで組み立てた状態を示す斜視説明図である。
【００１６】
本参考例の容器用吊り下げ具１は、図１、２に示すように、折り曲げ線ａ、ｂを介して縦横二方向に複数のシート面を連設してなるシート本体１０と、該シート本体１０を折り畳んだ際に最下面に位置するシート面１１に折り曲げ線を介して連設され、容器２０の首部３０に掛止可能な掛止片２と、折り畳んだ際に最上面に位置するシート面１２に折り曲げ線を介して連設され、折り畳んだシート本体に着脱自在に係止可能な係止片３とから構成される（第１実施例とする）。なお、図中丸数字はシート面を折り畳む順序を、また、矢印はシート面を折り畳む方向を示している。
【００１７】
そして図５に示すように、中央部に掛止孔４が穿設された掛止片２を容器２０の首部３０に掛止させて使用する。
【００１８】
シート本体を折り畳んだ際に最下面に位置するシート面１１と折り畳んだ際に最上面に位置するシート面１２との表側には、必要なアイキャッチを印刷表示しておくことにより、販売促進効果を高めることができる。該シート面の裏側にも印刷表示層を設けても良いことは言うまでもない。また、折り畳んだ際、内側に入る複数のシート面に、例えば、アンケート項目等を記載した葉書を印刷しておくことにより、消費者に情報を提供すると共に、消費者側からの情報を収集することも可能となる。
【００１９】
シート本体を構成する複数のシート面は、横方向に４列の例が図示されているが、４列に限定されるものではなく、３列、５列と必要に応じて増減して構わない。
【００２０】
係止片３の内側に、折り畳んだ際に最上面に位置するシート面１２の上縁近傍から係止片３の中間部分にまで達する切り込みｃにより凸状の表示片５を区画形成させても良い。折り畳んだ際に最上面に位置するシート面１２の上方に連続して凸状の表示片５が形成されることになり、最上面に位置するシート面に大きなデザイン面積を供することができる。
【００２１】
図３は、本発明による容器用吊り下げ具の実施例の展開説明図であり、図４は、実施例の組み立てた状態を示す平面説明図である。
【００２２】
本実施例の場合、基本的構成は参考例と同じであるが、係止片は折り畳んだ際に最上面に位置するシート面１２の上縁近傍の左右両端に適宜の大きさの凸起６、６を折り曲げ自在に設けて係止片としたものであり、双方の凸起６、６の内側に、外方に延びる切り込みｄ、ｄが設けられている。また、掛止片２両端縁のシート面寄り近傍には、掛止切り込みｅ、ｅが設けられている。
【００２３】
シート本体１０を折り曲げ線に沿って折り畳んだ後、係止片となる両端の凸起６、６の切り込みｄ、ｄを掛止片２の両端縁に設けた掛止切り込みｅ、ｅで係止させることにより、折り畳んだ際に最上面に位置するシート面１２は最下面に位置するシート面１１に固定され、組立てが完成する。
【００２４】
なお、図示されているように、折り畳んだ際に最上面に位置するシート面１２の上縁の凸起６、６の間に、外方に延びる表示片５を設けても良い。
【図面の簡単な説明】
【００２５】
【図１】本発明の容器用吊り下げ具に係る一参考例を示す展開説明図である。
【図２】図１の容器用吊り下げ具を折り畳んで組み立てた状態を示す斜視説明図である。
【図３】本発明の容器用吊り下げ具の実施例を示す展開説明図である。
【図４】実施例の折り畳んで組み立てた状態を示す平面説明図である。
【図５】本発明に係る容器用吊り下げ具の使用状態を示す正面説明図である。
【符号の説明】
【００２６】
１‥‥容器用吊り下げ具
２‥‥掛止片
３‥‥係止片
４‥‥掛止孔
５‥‥表示片
６‥‥凸起（係止片）
７‥‥接着片
９‥‥表示片
１０‥‥シート本体
１１‥‥折り畳んだ際に最下面に位置するシート面
１２‥‥折り畳んだ際に最上面に位置するシート面
１３‥‥折り畳んだ際に下から２枚目に位置するシート面
１４‥‥折り畳んだ際に上から２枚目に位置するシート面
２０‥‥容器
３０‥‥首部
ａ‥‥折り曲げ線
ｂ‥‥折り曲げ線
ｃ‥‥切り込み
ｄ‥‥切り込み
ｅ‥‥掛止切り込み
【図１】
2006276888.tif 000003
【図２】
2006276888.tif 000004
【図３】
2006276888.tif 000005
【図４】
2006276888.tif 000006
【図５】
2006276888.tif 000007